(57)【要約】【目的】  放射線の影響を受けることなく加温・加湿しない場合は、遠赤外線とマイナスイオンの効果により精神をリラックスし癒され、瞑想等をすることができ、また、加温・加湿したことにより放射量の増えた遠赤外線と発生量の増したマイナスイオンの効果により、血行を促進することで新陳代謝を盛んにして体調を良好にするとともに部分浴もすることができる癒し環境を有するサウナ装置を提供する。【構成】  サウナ装置１の内壁面Ａを、遠赤外線を放射しマイナスイオンを発生する１ミクロン以下に摩砕したマイナスイオン発生遠赤外線放射材料１５で被覆した部材で構成し、サウナ装置１内に使用者が座ることができる腰掛け９とサウナ装置１内を約４０℃前後に維持する加温装置１６と、湿度を約６０％前後に維持する加湿装置１７を設ける。【選択図】図１
2007181648.tif 000002
【特許請求の範囲】
【請求項１】
サウナ装置を構成する各部分を所望の位置にて組立て設置する組立て式サウナ装置において、前記サウナ装置の内壁面を１ミクロン以下に摩砕したマイナスイオン発生遠赤外線放射材料で被覆した部材で構成した躯体部と、前記サウナ装置内に使用者が座ることができる腰掛けと、前記サウナ装置内を約４０℃前後に維持する加温装置と、該装置内の湿度を約６０％前後に維持する加湿装置とを設けたことを特徴とする癒し環境を有するサウナ装置。
【請求項２】
請求項１記載のサウナ装置において、使用者が胡坐または座禅が組みながら瞑想できるように補助腰掛けを増設し、座面を広くしたことを特徴とする癒し環境を有するサウナ装置。
【請求項３】
請求項１記載のサウナ装置において、腰掛けに取り外し可能な蓋を設け、この蓋を取外してこの腰掛けに蒸気浴装置を設け、サウナ浴と蒸気浴が同時にできることを特徴とする癒し環境を有するサウナ装置。
【発明の詳細な説明】
【技術分野】
【０００１】  本発明は、遠赤外線並びにマイナスイオンを発生させ、使用者にストレスをリラックスさせる癒し効果と遠赤外線並びにマイナスイオンにより血行を促進し新陳代謝を活性化することができする癒し環境を有するサウナ装置に関するものである。また、身体、特に下腹部周囲に生ずる不調を改善する癒し環境を有するサウナ装置に関するものである。
【背景技術】
【０００２】  近年、環境問題が重要視されている。都会における日常生活の中で排気ガスなどによる空気中のプラスイオンが増大し、マイナスイオンが少なくなり、我々の身体や環境に悪影響を及ぼしていると言われている。その中で空気中のプラスイオンがマイナスイオンに比べ増大すると、酸化腐敗、体内異常、老化が進むと言われ、我々の身体や環境、植物体系、水系までが弱酸性化している。また、身体がプラスイオンが過剰な環境におかれると自律神経が興奮状態となり、人間はリラックスすることができず疲労困憊する。【０００３】  そこで、この疲れ果てた人間をリラックスさせるものとしてマイナスイオンが注目されている。マイナスイオンが多い環境では副交感神経が優位に働き自律神経を沈静化し、その結果として人間はリラックスすることができるとして、様々な電化製品、衣服等にマイナスイオンを発生する機構や物質が採用されている。しかし、電気的にマイナスイオンを発生するものは、マイナスイオンを発生するのと同時に、オゾンや窒素酸化物，硫黄酸化物を発生するものがあり、健康には不適なものがあった。また、マイナスイオンを発生する物質としては、トルマリンの粉末が知られているが、このトルマリンの粉末は摩擦を加えなければマイナスイオンを発生しないため、摩擦環境でなければマイナスイオンの効果を得られないものである。【０００４】  また、マイナスイオンは放射性物質の存在によっても発生することが知られている。しかし、わが国は世界で唯一の被爆国であるため放射能について敏感であり、放射線の発生に関しては「原子力基本法」に定められているが、原子力基本法に定められる放射線量以下であっても、放射能と聞いただけで放射能被爆を連想し拒否反応を示す人が大多数で、有効な効果を得られるものであってもなかなか理解を得られにくいものである。【０００５】    近年、遠赤外線に関する利用技術の進展は著しく、その応用分野も食品の乾燥、木材、合板、プラスチック、塗料等の工業的加熱、家庭用調理器、温熱器、医療用治療器等の医療、健康器具、さらには、水の浄化、改善、農産種子の養成照射等と多岐に亘っている。
このように赤外線が注目され、高く評価されて、広く利用されるようになった理由は、大別して次のようである。【０００６】（イ）ほとんどの物質の赤外線吸収特性は、長波長側（４μｍ〜１０μｍ）付近に位置している。すなわち、遠赤外線領域にある。
（ロ）赤外線の熱の伝幡は、対流、伝導でなく放射（輻射）であり、赤外線を受けた物質内の原子間運動を励起（励発）させて、温度を上昇させる効果が非常に強いので「熱線」とも呼ばれている。
（ハ）放射であるから、風の影響を受けないので熱効率が良い。
特に、水や動物（人を含む）は特異な吸収特性をもち、例えば、水は短波長領域から長波長領域にかけて、スペクトル吸収のピークがある（３μｍ〜５．１μｍ，９μｍ〜１０μｍ）、人の皮膚の吸収特性は、３μｍ〜３．６μｍ、６μｍ〜１０μｍ付近にスペクトル吸収のピークがあり、人の皮膚の透過のスペクトルは、２μｍ、４μｍ、１１．５μｍ付近にそのピークがある。【０００７】  また、遠赤外線照射による人体等の温熱療法が知られている。この温熱療法は温浴や赤外線照射器から照射される赤外線を患部に照射することにより、筋や組織を伸張させ痙縮を改善し、知覚神経や自律神経を介した末梢血管拡張作用、疼痛物質除去、オリエイトホルモンなどによる疼痛軽減作用が示される。【０００８】  一方、一日の疲れを癒すものとして家庭用サウナが普及してきている。この家庭用サウナは、木製あるいは合成樹脂製の躯体内をヒーター等で４０℃〜６０℃に加温し、その中に２０〜３０分間入って汗を流しリラックスすると言うものである。実開平５−６８５７２号公報には、熱線透過難性材からなるシートの内側面に遠赤外線放射物質の複合剤からなる遠赤外線放射層を形成し、この層面に布材を被装した積層シートからなるボックスを形成し、このボックス内を加温する加温装置を具備した家庭用サウナが開示されている。【０００９】  また、特開２００５−８７７２４号公報には、サウナ室をコンクリートで作り、室内面を微量放射線等を発する天然鉱石あるいは天然鉱石の微粒粉体やセラミック含有モルタルで覆い、床暖房等の加熱装置と加湿器あるいはミスト発生装置を併用したサウナ室が開示されている。
【特許文献１】  実開平５−６８５７２号公報
【特許文献２】  特開２００５−８７７２４号公報
【発明の開示】
【発明が解決しようとする課題】
【００１０】  しかし、前記の低温サウナは、サウナ室内に遠赤外線を発生する発熱装置を設け、この発熱装置に通電し発熱させることにより、４５℃前後の室温としているものであるが、人体に作用する遠赤外線の波長は特定されており、発熱装置から輻射される遠赤外線のうち体に有効な遠赤外線は少ないため効果は低く、利用者が体温より高い温度の室内にいることで発汗を促すもので、利用者は体の芯から温まるという感じは得られにくいものであった。【００１１】  また、後記のサウナ室は、室内面を微量放射線等を発する天然鉱石あるいは天然鉱石の微粒粉体やセラミック含有モルタルで覆ってあるため使用者への放射線による被曝の問題があるばかりではなく、製造従事者への被爆の可能性がぬぐいきれないものである。また、このサウナ室はコンクリート製で床暖房パイプ等を施工、ボイラー等が必要であるため一般家庭に設置する場合には、新築家屋の設計時に組み込むようにするか、あるいはサウナ室を増築しなければならずコスト高となるものである。【００１２】  また、両者は加温・加湿することにより発汗を促し、血行を改善するとともに人間の持つ自然治癒力を増そうとするものであって、使用者の家庭内の好みの場所に移動して設置したい、また、使用者のその日の気分でマイナスイオンの豊富な環境でその効果を十分に享受しながらリラックス・瞑想したり、あるいは加温・加湿することで汗をかいてさらに豊富なマイナスイオンの環境下で遠赤外線並びにマイナスイオンの効果を享受したいという使用者の様々な要求にかなうサウナ装置では無かった。また、サウナ浴で全身の血行を改善させながら、身体の部分浴もできるサウナ装置もなかった。【００１３】  水や動物（人間を含む）の電磁波（赤外線）吸収特性は、水の場合は、短波長域（３μｍ〜５．１μｍ、９μｍ〜１０μｍ）側にスペクトル吸収のピークがあり、人の皮膚の吸収特性は、３μｍ、６μｍ付近にスペクトル吸収のピークがあり、人体透過のピークは２μｍ、４μｍ、１１．５μｍ付近にある。米国航空宇宙局（ＮＡＳＡ）の研究では、人体に有効な電磁波は、８μｍ〜１４μｍの電磁波が良いとされている。人体の温熱機構は、体内細胞の分子運動に依存するからであるが、放射波長と吸収波長との差によって、表面反射、浸透力、内部吸収発熱等、種々影響するものと思われる。また、マイナスイオンは副交感神経が優位となるように作用し、身体には血管の拡張、血圧の正常化、血液のアルカリ性傾向にするなどのほかに免疫力の強化、体内リズムの調整、老化の抑制、肝臓・腎臓の活性化、有害物質と発がん物質の分解と排泄促進、脂肪・糖代謝の改善、消化吸収の促進、そして広範な病気の予防と回復、神経痛、リウマチ、慢性病にも大きな効果があると報告され、様々な商品が開発されている。【００１４】  また、遠赤外線を放射し、マイナスイオンを発生する材料はあるものの、物理的な外力を加えなければ有用な効果を得るにたりる遠赤外線の放射若しくはマイナスイオンの発生を得ることができず、それら材料を利用した製品の効果も満足得られるものではなかった。【００１５】  発明者らは鋭意研究を続け、物質の有する固有振動に着目し、物質をナノオーダーの微粒子に摩砕することで隣接する粒子��共振・増幅することに着目し、放射性物質を含めなくとも遠赤外線の放射・マイナスイオンが発生し、放射性物質を含んだ場合と同等以上の遠赤外線の放射並びにマイナスイオンの発生を確認し、発明を完成して「マイナスイオン発生遠赤外線放射材料」を出願した。【００１６】  本発明は上記問題点を考慮してなされたものであり、本発明の目的のその１は、放射線の影響を受けることなく加温・加湿しない場合は、遠赤外線とマイナスイオンの効果で精神をリラックスし癒され、瞑想等をすることができ、また、加温・加湿したことにより放射量の増えた遠赤外線と発生量の増したマイナスイオンの効果により、血行を促進することで新陳代謝を盛んにして体調を良好にするとともに部分浴もすることができる癒し環境を有するサウナ装置を提供しようとするものである。【００１７】  また、本発明の目的のその２は、目的のその１に加えて、胡坐や座禅を組んでよりリラックスして瞑想することができる癒し環境を有するサウナ装置を提供することにある。【００１８】  また、本発明の目的のその３は、目的のその１に加えて、薬効成分を含む蒸気浴ができ、さらに体調改善に効果のある癒し環境を有するサウナ装置を提供することにある。
【課題を解決するための手段】
【００１９】  上記目的を達成するために、本発明における請求項１記載の癒し環境を有するサウナ装置は、サウナ装置を構成する各部分を所望の位置にて組立て設置する組立て式サウナ装置において、前記サウナ装置の内壁面を１ミクロン以下の微粒子に摩砕したマイナスイオン発生遠赤外線放射材料で被覆した部材で構成した躯体部と、前記サウナ装置内に使用者が座ることができる腰掛けと前記サウナ装置内を約４０℃前後に維持する加温装置と、該サウナ装置内の湿度を約６０％前後に維持する加湿装置とから構成されるものである。【００２０】  また、本発明における請求項２記載の癒し環境を有するサウナ装置は、請求項１記載のサウナ装置において、使用者が胡坐または座禅が組みながら瞑想できるように補助腰掛けを増設し、座面を広くしたものである。【００２１】  また、本発明における請求項３記載の癒し効果を有するサウナ装置は、請求項１記載のサウナ装置において、腰掛けに取り外し可能な蓋を設け、この蓋を取外して腰掛けに蒸気浴装置を設け、サウナ浴と蒸気浴を同時にできるものである。
【発明の効果】
【００２２】  請求項１記載の構成により、加温装置・加湿装置を作動しない静置状態においても、１ミクロン以下の微粒子に摩砕したマイナスイオン発生遠赤外線放射材料から遠赤外線とマイナスイオンが発生し、その効果で精神をリラックスし癒され瞑想することができ、また、加温したことにより放射量の増えた遠赤外線と加温・加湿したことにより空気の摩擦により発生量の増したマイナスイオンの効果により、さらに血行を促進することで新陳代謝を盛んにして体調を良好にし、使用者に癒し効果を与えることができる。【００２３】  請求項２記載の構成により、請求項１の効果に加えて、マイナスイオンの豊富な雰囲気の中で使用者の好みの胡坐または座禅等の姿勢で座ることができるので、より落ち着きリラックスして瞑想することができる。【００２４】  請求項３記載の構成により、請求項１の効果に加えて、薬効成分を含んだ蒸気を股部に集中的に浴びることができ、また、サウナ浴の効果により全身の血行も良くなっているので薬効成分の吸収も促進され、体調改善に効果がある。
【発明を実施するための最良の形態】
【００２５】  以下、本発明の第１実施例について図１〜図４を参照して説明する。本実施例は請求項１に対応し、サウナ装置１は木製の左右側面２，正面３，背面４，天井面５，及び床面６の躯体部から構成される直方体で、正面３に扉７が、天井面５には明り取り部８が設けてあり、内部には木製の腰掛け９が取外し自在に設けられ、床面６にはすのこ１０が載置されている。また、扉７には窓１１と扉７の開閉用のハンドル１２が設けられている。【００２６】  左右側面２、正面３、背面４は内壁Ａと外壁Ｂとからなる二重壁構造となっており、内壁Ａと外壁Ｂとの空間には片面をアルミニウムシートで覆われた断熱材１３が配置され遠赤外線等を室内側に反射するようになっている。また、左右側面２及び背面４は檜葉材の板がすのこ状に配置され、腰掛け９の載置部１４が設けられそれぞれの内壁Ａを構成している。【００２７】  また、左右側面２、背面４の内壁Ａを構成する檜葉材の室内面及び床面６の室内面とすのこ１０の上面には１ミクロン以下の微粒子に摩砕したマイナスイオン発生遠赤外線放射材料１５が塗布されている。マイナスイオン発生遠赤外線放射材料１５の塗布はアクリル塗料などにマイナスイオン発生遠赤外線放射材料１５を混ぜて用いて行うが、アクリル塗料はシンナーなどの希釈材で薄め、マイナスイオン発生遠赤外線放射材料１５が塗装面に付着する程度に塗装し、塗膜厚は極力薄いものが好ましい。このように塗装することで、本発明は上記問題点を考慮してなされたものであり、の有する湿気の吸収・放出作用を損なうことなく、また、檜葉材から発せられるフィトンチッドの放出も妨げられることもない。【００２８】  腰掛け９の下の床面６上には加温装置１６と加湿装置１７が配置され、加温装置１６と加湿装置１７への通電時間を制御するタイマーと過電流を防止するブレーカーを備えたコントロールボックス１８が正面３の外側に配置され、このコントロールボックス１８を経由してサウナ装置１を設置する家屋内のコンセントに接続されている。【００２９】  尚、正面３の室内面側には温度計（図示せず）、湿度計（図示せず）が配置されている。【００３０】  前記構成につきその作用を説明する。サウナ装置１を家屋内の使用者の好みに場所に設置し、サウナ装置１内の腰掛け９下部に配置される加温装置１６と加湿装置１７の電源コードをコントロールボックス１８からのコンセント（図示せず）に接続する。次いで、コントロールボックス１８に接続される電源コード１９を家屋内のコンセントに接続する。【００３１】  ここで、サウナ装置１内の温度・湿度を上昇させないで、マイナスイオン浴による精神のリラックスあるいは瞑想等をする場合は、使用者は加温装置１６及び加湿装置１７を作動させずにサウナ装置１内の腰掛け９に着座してマイナスイオン浴による精神のリラックスあるいは瞑想をすることができる。【００３２】  このとき、サウナ装置１内の室内面側、腰掛け９、すのこ１０は檜葉材で構成されていることから、過剰な湿度は檜葉材が吸収することから快適にサウナ装置１内にいることができる。また、檜葉材から発せられるフィトンチッドにより精神をリラックスさせることができ、その上、室内面側を被覆するマイナスイオン発生��赤外線放射材料１５は、１ミクロン以下の微粒子であり常時微量の遠赤外線を放射しており隣接する粒子が互いに発する微量の遠赤外線により共振・増幅することで効率良く遠赤外線を放射し、マイナスイオンを発生することからサウナ装置１内の空気中の水分をマイナスイオン化することでサウナ装置１内をマイナスイオンが豊富な雰囲気にすることができるため、使用者は、精神がリラックスして癒され、リラックス状態で瞑想することができる。【００３３】  また、加温・加湿して約４０℃前後の低温サウナとして発汗しながら遠赤外線並びにマイナスイオンの効果を享受したい場合は、コントロールボックス１８のブレーカーをＯＮにし、タイマーを任意の時間に設定して加温装置１６と加湿装置１７を運転すると加温装置１６から温風が送風され、また、加湿装置１７から水蒸気が放出され、加温装置１６の温風によりサウナ装置１内を対流してサウナ装置１内の温度と湿度を上昇させる。加温装置１６はヒータを加熱し空気を加温するタイプと加熱したヒータにファンで空気を送り温風を送るタイプがあるが、空気とマイナスイオン発生遠赤外線放射材料１５との摩擦によりマイナスイオンが発生することから、ファンタイプが好ましい。また、加湿器１７は沸騰タイプ、超音波発振タイプがあるがいずれを選択しても良い。【００３４】  ここで、左右側面２、背面４の内壁Ａを構成する檜葉材の室内面及び床面６の室内面とすのこ１０の上面には１ミクロン以下の微粒子に摩砕したマイナスイオン発生遠赤外線放射材料１５が塗布されていることから、常時微量の遠赤外線を放射しており隣接する粒子が互いに発する微量の遠赤外線により共振・増幅することで効率良く遠赤外線を放射し、さらに加温により遠赤外線の放射率が増すとともに、加温蒸気の対流により生ずるマイナスイオン発生遠赤外線放射材料１５と空気及び水分子との摩擦でマイナスイオンの発生量が増加し、室内温４０℃程度で使用者は遠赤外線効果とマイナスイオン効果を有する低温サウナ浴を楽しみながら、リラックスと体調改善効果を受けることができる。また、コントロールボックス１８を経由して加温装置１６と加湿装置１７が接続されているため、タイマーが切れると加温装置１６と加湿装置１７も動作を停止するので加温装置１６と加湿装置１７スイッチの切り忘れによる火災等の事故を防ぐことができる。【００３５】  また、すのこ１０の上面にはマイナスイオン発生遠赤外線放射材料１５が塗布されていることから、サウナ装置１を利用する使用者は裸足で利用することが好ましい。このようにすることで、足裏からもマイナスイオン並びに遠赤外線の効果を直接受けることができる。【００３６】  次に、本発明の第２実施例について図５を参照しながら説明する。尚、第１実施例と同一部分については同一符号を用いて詳細な説明は省略する。【００３７】  第２実施例は、特に瞑想する場合において、腰掛ける状態ではなく胡坐や座禅をしながら瞑想したいという使用者の要望に応えるものである。【００３８】  サウナ装置１は木製の左右側面２，正面３，背面４，天井面５，及び床面６の躯体部から構成される直方体で、正面３に扉７が、天井面５には明り取り部８が設けてあり、内部には木製の腰掛け９および��助腰掛け９Ａが取外し自在に設けられ、広くなった座面には敷物２０が敷かれ、床面６にはすのこ１０が載置されている。また、扉７には窓１１と扉７開閉用のハンドル１２が設けられている。【００３９】  左右側面２、背面４、正面３は内壁Ａと外壁Ｂとからなる二重壁構造となっており、内壁Ａと外壁Ｂとの空間には片面をアルミニウムシートで覆われた断熱材１３が配置され、左右側面２及び背面４は檜葉材の板がすのこ状に配置され、腰掛け９並びに補助腰掛け９Ａの載置部１４が設けられそれぞれの内壁Ａを構成している。【００４０】  また、左右側面２、背面４の内壁Ａを構成する檜葉材の室内面及び床面６の室内面とすのこ１０の上面及び敷物２０には１ミクロン以下に摩砕したマイナスイオン発生遠赤外線放射材料１５が塗布及び浸漬などで被覆されている。敷物２０は天然繊維にマイナスイオン発生遠赤外線放射材料１５を塗布及び浸漬などで被覆させたものの他、あるいはマイナスイオン発生遠赤外線放射材料１５の粉末を化学繊維に練りこみ敷物状としたものでもよい。【００４１】  腰掛け９の下の床面６上には加温装置１６と加湿装置１７が配置され、加温装置１６と加湿装置１７への通電時間を制御するタイマーと過電流を防止するブレーカーを備えたコントロールボックス１８が正面３の外側に配置され、このコントロールボックス１８を経由してサウナ装置１を設置する家屋内のコンセントに接続されている。【００４２】  尚、正面３の室内面側には温度計（図示せず）、湿度計（図示せず）が配置されている。【００４３】  前記構成につきその作用を説明する。ここで、胡坐や座禅をしながら瞑想等をする場合は、使用者は加温装置１６及び加湿装置１７を作動させずにサウナ装置１内の腰掛け９および腰掛け９Ａが配置され広くなった座面に敷いてある敷物２０の上に着座してマイナスイオン浴による精神のリラックスあるいは瞑想をすることができる。このとき、サウナ装置１内の室内面側、腰掛け９，腰掛け９Ａ、すのこ１０は檜葉材で構成されていることから、過剰な湿度は檜葉材が吸収することから快適にサウナ装置１内でリラックスあるいは瞑想することができる。【００４４】  また、檜葉材から発せられるフィトンチッドにより精神をリラックスさせることができ、その上、室内面側を被覆するマイナスイオン発生遠赤外線放射材料１５は、１ミクロン以下の微粒子であり常時微量の遠赤外線を放射しており隣接する粒子が互いに発する微量の遠赤外線により共振・増幅することで効率良く遠赤外線を放射し、マイナスイオンを発生することからサウナ装置１内の空気中の水分をマイナスイオン化することでサウナ装置１内をマイナスイオンが豊富な雰囲気にすることができ、さらにマイナスイオン発生遠赤外線放射材料１５が塗布及び浸漬などで被覆された敷物２０上に着座するためマイナスイオン効果と遠赤外線の効果を受けることができる上、使用者は、自分の好みの姿勢で着座することができるので、さらに精神がリラックスして癒され、リラックス状態で瞑想することができる。【００４５】  次に、本発明の第３実施例について図６〜図８を参照しながら説明する。尚、第１実施例と同一部分については同一符号を用いて詳細な説明は省略する。【００４６】  ���３実施例は、身体の下腹部の不調、詳しくは、男性では加齢とともに不具合が生ずる前立腺肥大による排尿障害、精力減退など、女性では、生理痛、生理不順、更年期障害などの婦人病、排尿障害など、男女共通では、痔、便秘などの不調を改善するものである。【００４７】  サウナ装置１は木製の左右側面２，正面３，背面４，天井面５，及び床面６から構成される直方体で、正面３に扉７が、天井面５には明り取り部８が設けてあり、内部には木製の腰掛け９が取外し自在の設けられ、床面６にはすのこ１０が載置されている。また、扉７には窓１１と扉７の開閉用のハンドル１２が設けられている。【００４８】  この腰掛け９の前方（使用者の着座位置付近）には取り外し自在の蓋９Ｂが設けられ、蓋９Ｂを取り外すと後述する蒸気浴装置２１の座面部分２１Ａをはめ込むことができる穴（図示せず）が開口している。また、腰掛け９の下の床面６上には蒸気浴装置２１が配置され、タイマーと過電流を防止するブレーカーを備えたコントロールボックス１８を経由してサウナ装置１を設置する家屋内のコンセントに接続されている。【００４９】  この蒸気浴装置２１は、水をヒータで加熱して水蒸気を発生させるポットと、そのポット上に位置する薬草入れに入った薬草類をポットから生ずる水蒸気で蒸す蒸気発生部２１Ｂと、蒸気発生部２１Ｂに篏合する筒体の上部に洋式便器の便座状の形状の座面を有する座面部分２１Ａから構成される。【００５０】  尚、正面５の室内面側には温度計（図示せず）、湿度計（図示せず）が配置されている。【００５１】  前記構成につきその作用を説明する。蒸気浴をする場合は、腰掛け９の下部にある蒸気浴装置２１の蒸気発生部２１Ｂに水を入れ、薬草入れに例えば乾燥ヨモギ等単一種類の薬草あるいは複数種類にブレンドされた薬草を入れる。次いで、腰掛け９の蓋９Ｂを取り外し、腰掛け９に設けて有る穴に蒸気浴装置２１の座面部分２１Ａを差込み、腰掛け９下部の蒸気発生部２１Ｂ上部に篏合させる。コントロールボックス１８のブレーカーをＯＮにしてタイマーを所定の時間に合わせると蒸気浴装置２１のポットが加熱され水蒸気が発生し、薬草入れを蒸しながら通過して薬草の薬効成分を含んだ水蒸気が上昇する。この状態で使用者が蒸気浴装置２１の座面部分２１Ａに座ると使用者の股部分に薬効成分を含んだ水蒸気があたり、皮膚を通じて薬効成分が体内に吸収される。【００５２】  このとき、蒸気浴装置２１から漏れる蒸気によりサウナ装置１内の温度及び湿度が上昇し、左右側面２、背面４の内壁Ａを構成する檜葉材の室内面及び床面６の室内面とすのこ１０の上面には１ミクロン以下に摩砕したマイナスイオン発生遠赤外線放射材料１５が塗布されていることから、常時微量の遠赤外線を放射しており隣接する粒子が互いに発する微量の遠赤外線により共振・増幅することで効率良く遠赤外線を放射し、さらに加温により遠赤外線の放射率が増すとともに、加温蒸気の対流により生ずるマイナスイオン発生遠赤外線放射材料１５と空気及び水分子との摩擦でマイナスイオンの発生量が増加し、使用者は遠赤外線並びにマイナスイオンの効果で全身の血行が良くなり薬効成分の吸収も促進されるので体調改善効果も増す。【００５３】  尚、蒸気浴装��２１は、水を加熱して蒸気を発生させ、その蒸気を薬草類に通過させて薬効成分を有する蒸気としたが、水の代わりに薬草成分を抽出した抽出水を用いても良く、抽出水を用いる場合は、座面部分２１Ａに着座し、加湿器１７に抽出水を入れ、加湿器１７の吹き出し口を座面部分２１Ａの下部に配置することで同様の効果を得ることができる。また、エッセンシャルオイルを水に滴下し、蒸気とともにその香りを楽しんでリラックスすることもできる。【００５４】  また、使用者の好みに応じて、ラジオ、ＣＤ、ＭＤ等の音響装置や小型の液晶テレビ、ＤＶＤプレーヤー等の映像装置をサウナ装置１内に設けることで、リラックスしてサウナ浴、瞑想をすることができる。【００５５】  また、腰掛け９に背もたれを設けても良いし、シートマッサージャーなどのマッサージ器具を備えても良い。【００５６】  以上、本発明の各実施例について説明したが、本発明の前記各実施例に限定されるものではなく、本発明の要旨の範囲内で種々の変形実施が可能である、例えば前記実施例では室内面にマイナスイオン発生遠赤外線放射材料を塗布したものを示したが、和紙に含浸させたものを貼り付けても良い。断熱材の代わりに粒子状の炭を充填して利用しても良い。
また、図面では、縦型直方体のサウナ装置を示したが、横長形状として使用者が横臥して使用できるような形状としても、同様な効果を得ることができる。
【図面の簡単な説明】
【図１】  本発明の第１実施例を示すサウナ装置の部分透視斜視図である。
【図２】  本発明のサウナ装置の左右側板及び同縦断面図である。
【図３】  同上サウナ装置の左右側板の一部拡大縦断面図である。
【図４】  同上サウナ装置のすのこを示す斜視図である。
【図５】  本発明の第２実施例を示すサウナ装置の部分透視斜視図である。
【図６】  本発明の第３実施例で蒸気浴装置を取付ける前の状態を示すサウナ装置の部分透視斜視図である。
【図７】  同上蒸気浴装置を取付けた状態を示すサウナ装置の部分透視斜視図である。
【図８】  同上蒸気浴装置の使用状態を示すサウナ装置の部分断面図である。
【符号の説明】
【００５７】  １    サウナ装置
２    左右側面
３    正面
４    背面
５    天井面
６    床面
７    扉
８    明かり取り部
９    腰掛け
９Ａ  補助腰掛け
９Ｂ  蓋
１０    すのこ
１１    窓
１２    ハンドル
１３    断熱材
１４    載置部
１５    マイナスイオン発生遠赤外線放射材料
１６    加温装置
１７    加湿装置
１８    コントロールボックス
１９    電源コード
２０    敷物
２１    蒸気浴装置
２１Ａ  座面部分
２１Ｂ  蒸気発生部
Ａ    内壁
Ｂ    外壁
【図１】
2007181648.tif 000003
【図２】
2007181648.tif 000004
【図３】
2007181648.tif 000005
【図４】
2007181648.tif 000006
【図５】
2007181648.tif 000007
【図６】
2007181648.tif 000008
【図７】
2007181648.tif 000009
【図８】
2007181648.tif 000010